(57)【要約】      （修正有）【課題】使用準備が容易であり、収納時に嵩張らない組立式椅子を提供する。【解決手段】長方形の一辺から対向辺に向かって一辺中央からの振り分け位置に第１の間隔で配置されるスリット２つを備える３枚の第１板状体と、正方形の上方辺から下方辺に向かって上方辺の後方端付近に配置される第１スリットと、正方形の前方辺から後方辺に向かって前方辺の中央付近に配置される第２スリットと、前方辺から後方辺に向かって前方辺の上方端付近に配置される第３スリットと、を備える２枚の第２板状体８と、を有し、２枚の第２板状体に対し、第１スリットにスリットが嵌合するように１枚の第１板状体を上方から挿し込んで背もたれ２０とし、第２スリットにスリットが嵌合するように１枚の第１板状体を前方から挿し込んで座面２６とし、第３スリットにスリットが嵌合するように１枚の第１板状体を前方から挿し込んでテーブル２２とする。【選択図】図２
0003230047.tif 000002
【実用新案登録請求の範囲】
【請求項１】
長方形の一辺から対向辺に向かって該一辺中央からの振り分け位置に第１の間隔で配置されるスリット２つを備える第１板状体３枚と、
正方形の上方辺から下方辺に向かって該上方辺の後方端付近に配置される第１スリットと、前記正方形の前方辺から後方辺に向かって該前方辺の中央付近に配置される第２スリットと、前記前方辺から前記後方辺に向かって該前方辺の上方端付近に配置される第３スリットと、を備える第２板状体２枚と、を有し、
前記第１の間隔で平行かつ床面に対し垂直に２枚の前記第２板状体それぞれを配置した後、２枚の前記第２板状体に対し、前記第１スリットに前記スリットが嵌合するように１枚の前記第１板状体を上方から挿し込んで背もたれとし、前記第２スリットに前記スリットが嵌合するように１枚の前記第１板状体を前方から挿し込んで座面とし、前記第３スリットに前記スリットが嵌合するように１枚の前記第１板状体を前方から挿し込んでテーブルとすることを特徴とする組立式椅子。
【請求項２】
前記第２板状体が、前記前方辺から前記後方辺に向かって該前方辺の下方端付近に配置される第４スリットを備え、
前記第３スリットに前記１枚の第１板状体を挿し込むことに代えて、前記第４スリットに前記スリットが嵌合するように前記１枚の第１板状体を前方から挿し込んで補強板とすることを特徴とする請求項１に記載の組立式椅子。
【請求項３】
前記座面を補強板として使用し、前記テーブルを座面として使用することを特徴とする請求項１に記載の組立式椅子。
【考案の詳細な説明】
【技術分野】
【０００１】
板状体を組み立てて作る椅子の技術に関する。
【背景技術】
【０００２】
椅子は、腰掛けるために作られたものであり、使用中は大変便利なものであるが、使用しないときは嵩張って、邪魔になる場合もある。
【考案の概要】
【考案が解決しようとする課題】
【０００３】
例えば、ベビーチェアは、子供が乳児期を過ぎると使用しなくなり、収納場所に困る場合がある、という問題点がある。
そこで、本考案では、上記問題点に鑑み、使用準備が容易であり、収納時に嵩張らない組立式椅子を提供することを目的とする。
【課題を解決するための手段】
【０００４】
開示する組立式椅子の一形態は、長方形の一辺から対向辺に向かって該一辺中央からの振り分け位置に第１の間隔で配置されるスリット２つを備える第１板状体３枚と、正方形の上方辺から下方辺に向かって該上方辺の後方端付近に配置される第１スリットと、前記正方形の前方辺から後方辺に向かって該前方辺の中央付近に配置される第２スリットと、前記前方辺から前記後方辺に向かって該前方辺の上方端付近に配置される第３スリットと、を備える第２板状体２枚と、を有し、前記第１の間隔で平行かつ床面に対し垂直に２枚の前記第２板状体それぞれを配置した後、２枚の前記第２板状体に対し、前記第１スリットに前記スリットが嵌合するように１枚の前記第１板状体を上方から挿し込んで背もたれとし、前記第２スリットに前記スリットが嵌合するように１枚の前記第１板状体を前方から挿し込んで座面とし、前記第３スリットに前記スリットが嵌合するように１枚の前記第１板状体を前方から挿し込んでテーブルとすることを特徴とする。
【考案の効果】
【０００５】
開示する組立式椅子は、使用準備が容易であり、収納時に嵩張らない。
【図面の簡単な説明】
【０００６】
【図１】本実施の形態に係る組立式椅子の構成部材を説明する図である。
【図２】本実施の形態に係る組立式椅子の組立例を示す図である。
【図３】本実施の形態に係る組立式椅子の組立例を示す図である。
【図４】本実施の形態に係る組立式椅子の組立例を示す図である。
【考案を実施するための形態】
【０００７】
図面を参照しながら、本考案を実施するための形態について説明する。
（本実施の形態に係る組立式椅子の構造）
図１を用いて、本実施の形態に係る組立式椅子（以下、単に「本椅子」という。）１の構造について説明する。図１（ａ）（ｂ）（ｃ）（ｄ）それぞれは、本椅子１の各構成部材を示す図である。
【０００８】
図１で示すように、本椅子１は、第１板状体２を３枚、第２板状体８を２枚有する。図１（ａ）（ｂ）（ｄ）で示すように、第１板状体２は、長方形の一辺から対向辺に向かって該一辺中央からの振り分け位置に第１の間隔４で配置される２つのスリット６を備える。それぞれの第１板状体２について、長方形の形状・大きさ、スリット６の長さは、同じであっても良く、異なる形態としても良い。
【０００９】
図１（ａ）では、本椅子１の組立後、背もたれとなる背板２０の一例を示すが、例えば、第１板状体２（背板２０）の外形は、長辺が５０ｃｍ、短辺が３０ｃｍの長方形とし、スリット６の長さを１０ｃｍ、第１の間隔４を４０ｃｍとしても良い。
【００１０】
図１（ｂ）では、本椅子１の組立後、テーブルとなるテーブル板２２の一例を示すが、例えば、第１板部材２（テーブル板２２）の外形は、長辺が５０ｃｍ、短辺が３０ｃｍの長方形とし、スリット６の長さを９ｃｍ、第１の間隔４を４０ｃｍとしても良い。
【００１１】
図１（ｄ）では、本椅子１の組立後、座面となる座面板２６の一例を示すが、例えば、第１板部材２（座面板２６）の外形は、長辺が５０ｃｍ、短辺が４０ｃｍの長方形とし、スリット６の長さを１５ｃｍ、第１の間隔４を４０ｃｍとしても良い。
【００１２】
図１（ｃ）で示すように、第２板状体８は、正方形の上方辺から下方辺に向かって該上方辺の後方端付近に配置される第１スリット１０と、正方形の前方辺から後方辺に向かって該前方辺の中央付近に配置される第２スリット１２と、正方形の前方辺から後方辺に向かって該前方辺の上方端付近に配置される第３スリット１４と、を備える。
【００１３】
また、第２板状体８は、正方形の前方辺から後方辺に向かって該前方辺の下方端付近に配置される第４スリット１６、正方形の下方辺から上方辺に向かって該下方辺の中央から少し後方寄りに配置される第５スリット１８と、を備える。
【００１４】
図１（ｃ）では、本椅子１の組立後、肘掛けとなる側板２４の一例を示すが、例えば、第２板状体８の外形は、一辺が５０ｃｍの正方形とし、第１スリット１０の長さを１０ｃｍ、第２スリット１２の長さを２３ｃｍ、第３スリット１４の長さを９ｃｍ、第４スリット１６の長さを１８ｃｍ、第５スリット１８の長さを１８ｃｍとしても良い。図１（ｃ）において、第１スリット１０は後端から５ｃｍの位置に、第２スリット１２は下端から２４ｃｍの位置に、第３スリット１４は上端から５ｃｍの位置に、第４スリット１６は下端から１０ｃｍの位置に、第５スリット１０は後端から１５ｃｍの位置に、それぞれ配置されている。
（本実施の形態に係る組立式椅子の使用方法）
図２乃至４を用いて、本椅子１の使用方法について説明する。図２乃至４は、本椅子１の組立例を示す図である。
【００１５】
ユーザーは、第２板状体８それぞれを、第１スリット１０が上方に位置し、かつ、第１の間隔４で平行かつ床面に対し垂直に配置させる。その後、ユーザーは、２枚の第２板状体８に対し、第１スリット１０にスリット６が嵌合するように１枚の第１板状体２（背板２０）を上方から挿し込むことによって、背もたれを作成する。
【００１６】
次に、ユーザーは、２枚の第２板状体８に対し、第２スリット１２にスリット６が嵌合するように１枚の第１板状体２（座面板２６）を前方から挿し込むことによって、座面を作成する。さらに、ユーザーは、２枚の第２板状体８に対し、第３スリット１４にスリット６が嵌合するように１枚の第１板状体２（テーブル板２２）を前方から挿し込むことによって、テーブルを作成する。
【００１７】
上記のような組み立て方法によって、図２で示すようなテーブル付きベビーチェア１が出来上がるので、座面に乳児を座らせ、テーブルで食事等を行わせることができる。
【００１８】
ユーザーは、第３スリット１４へ第１板状体２（テーブル板２２）を挿し込む代わりに、２枚の第２板状体８に対し、第４スリット１６にスリット６が嵌合するように１枚の第１板状体２（テーブル板２２）を前方から挿し込むことによって、補強板としても良い。こうすることによって、図３で示すような補強板付き（テーブル無し）ベビーチェア１が出来上がるので、少々体重が重くなった乳幼児でも座らせることができる。
【００１９】
一方、ユーザーは、第２板状体８それぞれを、第５スリット１８が上方に位置し、かつ、第１の間隔４で平行かつ床面に対し垂直に配置させる。その後、ユーザーは、２枚の第２板状体８に対し、第５スリット１８にスリット６が嵌合するように１枚の第１板状体２（背板２０）を上方から挿し込んで背もたれを作成する。
【００２０】
そして、ユーザーは、２枚の第２板状体８に対し、第４スリット１６にスリット６が嵌合するように１枚の第１板状体２（座面板２６）を前方から挿し込んで座面を作成する。さらに、ユーザーは、２枚の第２板状体８に対し、第２スリット１２にスリット６が嵌合するように１枚の第１板状体２（テーブル板２２）を前方から挿し込んで補強板を作成する。
上記のような組み立て方法によって、図４で示すような大人用スツール１が出来上がるので、座面に大人でも座ることができる。
【００２１】
なお、本椅子１の使用が終了したら、本椅子１は、組立前の５枚の板状体（３枚の第１板状体２、２枚の第２板状体８）に容易に分解することができるので、嵩張らせずに収納することができる。
上記の構造及び使用方法の説明で示すように、本椅子１は、使用準備が容易であり、収納時に嵩張らない。
【００２２】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２３】
１    組立式椅子
２    第１板状体
４    第１の間隔
６    スリット
８    第２板状体
１０  第１スリット
１２  第２スリット
１４  第３スリット
１６  第４スリット
１８  第５スリット
２０  背板
２２  テーブル板
２４  側板
２６  座面板
【図１】
0003230047.tif 000003
【図２】
0003230047.tif 000004
【図３】
0003230047.tif 000005
【図４】
0003230047.tif 000006